(57)【要約】【課題】  コネクタのスライダとハウジングとの間にフレキシブル配線基板、フルフラットケーブル等の面状体を挿入してスライダとハウジングとの間に固定する場合、挿入位置が判りにくく、コンタクトと接触したかを視認することが困難となる場合がある課題を有した。【解決手段】    奥部にコンタクト１４が設けられた透明なハウジング１２と、ハウジング１２に対してスライド自在に取付けられハウジング１２との間に面状体２１を挿入可能な不透明なスライダ１３とからなる。【選択図】  図１
2006059615.tif 000002
【特許請求の範囲】
【請求項１】
コンタクトが設けられた透明なハウジングと、
ハウジングに対してスライド自在に取付けられハウジングとの間に面状体を挿入可能なスライダとからなることを特徴とするコネクタ。
【請求項２】
コンタクトが設けられたハウジングと、
ハウジングに対してスライド自在に取付けられハウジングとの間に面状体を挿入可能なスライダとからなり、
ハウジングの面状体対向面が透明若しくは半透明であることを特徴とするコネクタ。
【請求項３】
コンタクトが設けられたハウジングと、
ハウジングに対してスライド自在に取付けられ、ハウジング面との間に挿入された面状体を固定可能なスライダとからなり、
ハウジングの面状体対向面が透明若しくは半透明であって、面状体が正常に固定された場合にはハウジング内に挿入されたスライダがハウジングの透明若しくは半透明な面側から目視できないことを特徴とするコネクタ。
【請求項４】
コンタクトが設けられたハウジングと、
ハウジングに対してスライド自在に取付けられ、ハウジング面との間に挿入された面状体を固定可能なスライダとからなり、
ハウジングのスライダ対向面が透明若しくは半透明であって、面状体が正常に固定された場合にはハウジング内に挿入された面状体の挿入側先端部がハウジングの透明若しくは半透明な面側から目視できることを特徴とするコネクタ。
【発明の詳細な説明】
【技術分野】
【０００１】
この発明はコネクタに係る。詳細には、スライダとハウジングを有し、スライダとハウジングとの間にフレキシブル配線基板、フルフラットケーブル等の面状体を挿入してスライダとハウジングとの間に固定するコネクタに係る。
【背景技術】
【０００２】
特許文献１特開平５−８２２０６号「コネクター装置」公報には、「コネクター装置のキャップハウジング１Ａとプラグハウジング６Ａとを外部から透視可能な透明プラスチックから構成する」旨の記載がある。特許文献２特開２００３−５９５６０号「フレキシブル配線基板接続用コネクタ」公報には、フレキシブル配線基板を接続するコネクタについての記載がある。
【特許文献１】特開平５−８２２０６号公報
【特許文献２】特開２００３−５９５６０号公報
【発明の開示】
【発明が解決しようとする課題】
【０００３】
しかし、特許文献１記載のコネクター装置は、キャップハウジングとプラグハウジングともに長方形状からなるものであって、スライダとハウジングを有し、スライダとハウジングとの間にフレキシブル配線基板、フルフラットケーブル等面状体を挿入してスライダとハウジングとの間に固定するコネクタに係るものではない。
【０００４】
特許文献２特開２００３−５９５６０号「フレキシブル配線基板接続用コネクタ」公報記載のコネクタは、フレキシブル配線基板を接続するものではあるが、コネクタは透明ではない。
【０００５】
そのため、コネクタのスライダとハウジングとの間にフレキシブル配線基板、フルフラットケーブル等の面状体を挿入してスライダとハウジングとの間に固定する場合、挿入位置が判りにくく、コンタクトと接触したかを視認することが困難となる場合がある課題を有した。
そこで、該視認困難である課題を解消するものとして、挿入する面状体に、挿入することでコンタクトと良好に接触した時のハウジングの挿入口位置に切り欠き等の目印を予め設けておき、切り欠き等の目印部分まで挿入することでコンタクトとの良好な接触の視認に代えていた。あるいは、面状体が正常に挿入された場合の面状体とハウジングとに予め係止構造を設け、面状体を該係止構造まで挿入して面状体及びハウジングを係止させることで、やはりコンタクトとの良好な接触の視認に代えていた。
しかしながら目印を設ける場合でも、やはり面状体とコンタクトとの接触が視認できたわけではないので、不確実である。また、予め切り欠き等の目印を面状体に設けたり、あるいは面状体及びハウジングに予め係止構造を設けなければならないという問題点を有した。
【課題を解決するための手段】
【０００６】
この発明は、
コンタクトが設けられた透明なハウジングと、
ハウジングに対してスライド自在に取付けられハウジングとの間に面状体を挿入可能なスライダとからなることを特徴とするコネクタ、
及び、
コンタクトが設けられたハウジングと、
ハウジングに対してスライド自在に取付けられハウジングとの間に面状体を挿入可能なスライダとからなり、
ハウジングの面状体対向面が透明若しくは半透明であることを特徴とするコネクタ、
及び、
コンタクトが設けられたハウジングと、
ハウジングに対してスライド自在に取付けられ、ハウジング面との間に挿入された面状体を固定可能なスライダとからなり、
ハウジングの面状体対向面が透明若しくは半透明であって、面状体が正常に固定された場合にはハウジング内に挿入されたスライダがハウジングの透明若しくは半透明な面側から目視できないことを特徴とするコネクタ、
及び、
コンタクトが設けられたハウジングと、
ハウジングに対してスライド自在に取付けられ、ハウジング面との間に挿入された面状体を固定可能なスライダとからなり、
ハウジングのスライダ対向面が透明若しくは半透明であって、面状体が正常に固定された場合にはハウジング内に挿入された面状体の挿入側先端部がハウジングの透明若しくは半透明な面側から目視できることを特徴とするコネクタ、
【０００７】
を提供する。これにより、該基板をコネクタに接続する際には、コネクタの接続位置まで該基板のコンタクト部が達しているかを目視により確認して接続作業を行う。
【発明の効果】
【０００８】
少なくともハウジングの面状体対向面を透明あるいは半透明とし、該ハウジング面とハウジングに対してスライド自在に取付けられるスライダとの間に面状体を挿入することで、面状体の挿入状態を視認することが可能となる。
更に、面状体が正常にコンタクトと接触された状態で挿入挟持された場合に、透明あるいは半透明なハウジング面から見てスライダが面状体に隠れ見えないように構成することで、視認時にはスライダが見えるか否かによって正常な面状体の挿入挟持状態を簡単に視認可能となる。
【発明を実施するための最良の形態】
【０００９】
以下、この発明を実施するための最良の形態である実施例１について説明する。
【実施例１】
【００１０】
図１は、実施例１のコネクタ使用状態の平面図、図２は同正面図、図３は未使用状態の正面図、図４は操作開始時の正面図、図５は、面状体を奥まで挿入した状態を示す正面図、図６はスライダ越しに面状体を視認する実施例を表す正面説明図である。
１１は、コネクタである。コネクタ１１は、ハウジング１２と、スライダ１３とを有する。ハウジング１２の奥部には、コンタクト１４が設けられる。コンタクト１４は、一端がハウジング１２内でハウジング１２に挿入され接続対象と電気的に接続されるコンタクト部（図示せず）を形成する。またコンタクト１４の他端はハウジング１２の端部から突設されコネクタ１１を実装する基板等他の電子部材と電気的に接続するピン１５を形成し、ハウジング１２端部から平行に上下７本と８本ずつのピン１５が突設される。
２１は、面状体である。面状体２１は、この実施例では、フレキシブル配線基板、フルフラットケーブル等の面状体２１からなる。
スライダ１３は、ハウジング１２に対してスライド自在に取付けられる。スライダ１３とハウジング１２との間にはスライダ１３をハウジング１２から引き出した状態では面状体２１を挿入可能な隙間を有する。
【００１１】
ハウジング１２は、ポリアリレート（ＰＡＲ）、ポリエーテルスルホン（ＰＥＳ）、ポリカーボネイト（ＰＣ）等の透明な素材からなる。
スライダ１３は、ポリフェニレンスルファイド（ＰＰＳ）等の不透明な素材からなる。この実施例においては、スライダ１３は、肌色である。
フレキシブル配線基板、フルフラットケーブル等の面状体２１は挿入端部を含めこの実施例では青色に着色され不透明とされている。
【００１２】
そこで、スライダ１３をハウジング１２から引き出す。そして、作業者側の面のスライダ１３とハウジング１２との間の隙間に面状体２１を挿入する。
このとき、ハウジング１２とスライド１３の双方が透明であると、フレキシブル配線基板、フルフラットケーブル等の面状体２１がハウジング１２とスライド１３の間に挿入されたのか否かの確認が容易ではない。しかしながら、必ずしも色を有している必要もなく、面状体２１がコンタクト１４まで挿入されていることが視認できれば足りるので、透明であってもよい。
【００１３】
しかしこの実施例では、透明なハウジング２と、ハウジング１２に対してスライド自在に取付けられる不透明なスライダ１３との間に面状体２１を挿入する。表面側に透明なハウジング１２が位置し、裏側には不透明なスライダ１３が位置し、透明なハウジング１２と不透明で着色されたスライダ１３との間に、フレキシブル配線基板、フルフラットケーブル等の面状体２１が挿入される。そして、この状態でスライダ１３をハウジング１２の奥部側へスライドさせ、スライダ１３とハウジング１２との間で面状体２１をコンタクト１４と電気的に接続させ挟持固定する。このように面状体が良好に接続された状態で、スライダ１３が透明あるいは半透明なハウジング１２の面側からちょうど見えなくなる（あるいは一部が若干見える程度となる）ように構成しておくことで、面状体２１の挿入状態をスライダ１３が見えるか見えないかによって容易に視認することが可能となる。勿論、スライダ１３の見え方によらず、面状体２１がコンタクト１４と良好に接触されている状態を直接的に視認するように構成しても良い。
【００１４】
このコネクタ１１では、面状体２１の正常な嵌合状態をハウジング１２の面状体２１対向面側から目視確認する例を示したが、ハウジング１２のスライダ１３対向面側からも面状体２１の嵌合状態を目視確認するよう構成してもよく、以下に説明する。
ハウジング１２のスライダ１３対向面側から目視確認可能とするために、ハウジング１２のスライダ１３と対向する面を透明あるいは半透明にて形成する。そして、面状体２１がハウジング１２内に挿入されてコンタクト１４と接続された正常な嵌合時には、面状体２１のハウジング１２挿入側先端がスライダ１３より若干ハウジング１２の奥側へはみ出す位置となるように、ハウジング１２及びスライダ１３並びに面状体２１を形成する。
面状体２１は、ハウジング１２及びスライダ１３並びに面状体２１がこのような位置関係でコンタクト１４と接続された正常な嵌合状態となるため、ハウジング１２のスライダ１３対向面側からは、ハウジング１２の透明あるいは半透明な面を通してスライダ１３が視認でき、更にスライダ１３のハウジング１２奥側から面状体２１の先端が視認できることで正常な嵌合状態であると目視確認可能となる。
【００１５】
更にこの実施例では、フレキシブル配線基板、フルフラットケーブル等の面状体２１のスライダ１３とハウジング１２との間への挿入端部Ａはスライド１３同様不透明で、互いに異なる色であるのが好ましいとされている。また、基部Ｂは、白色に着色され不透明とされている。
そのため、透明のハウジング１２を通してスライド１３も面状体２１挿入端部Ａも視認可能であるため、面状体の挿入端がコンタクトに接触するまで奥に挿入されたか否かをより容易に視認可能である。
【００１６】
面状体２１を、ハウジング１２とスライダ１３との間に挿入後は、スライダ１３をハウジング１２の奥側、すなわち、ピン１５側に押し込み、面状体２１をハウジング１２とスライダ１３との間で挟み込み固定する。
【産業上の利用可能性】
【００１７】
スライダとハウジングを有し、スライダとハウジングとの間にフレキシブル配線基板、フルフラットケーブル等の面状体を挿入してスライダとハウジングとの間に固定するコネクタに使用可能である。
【図面の簡単な説明】
【００１８】
【図１】実施例１のコネクタ使用状態の平面図
【図２】実施例１のコネクタ使用状態の正面図
【図３】実施例１のコネクタの未使用状態の正面図
【図４】実施例１のコネクタの操作開始時の正面図
【図５】実施例１のコネクタに面状体を奥まで挿入した状態を示す正面図
【図６】スライダ越しに面状体を視認する実施例を表す正面説明図
【符号の説明】
【００１９】
１１    コネクタ
１２    ハウジング
１３    スライダ
１４    コンタクト
１５    ピン
２１    面状体
【図１】
2006059615.tif 000003
【図２】
2006059615.tif 000004
【図３】
2006059615.tif 000005
【図４】
2006059615.tif 000006
【図５】
2006059615.tif 000007
【図６】
2006059615.tif 000008